(57)【特許請求の範囲】
【請求項１】
赤と緑と青の３本のＣＲＴからの映像をスクリーンに投写して画像表示するプロジェクションテレビにおいて、Ｈパラボラ波とＶパラボラ波との合成波信号を出力する信号源と、前記信号源からの出力を適度な大きさに増幅する第１のモードと前記信号源からの出力を反転してから適度な大きさに増幅する第２のモードとを切り替え可能に構成されたプリアンプと、前記プリアンプからの出力を前記赤と緑と青の３本のＣＲＴの各フォーカス電極に入力するレベルまでそれぞれ増幅する増幅回路と、前記増幅回路からの出力レベルを前記ＣＲＴに対して最適点に調整するフォーカス電圧調整手段と、前記プリアンプのモードを設定する設定手段とを備え、
セット調整時に前記設定手段により前記プリアンプを前記第２のモードに切り替えて、前記青のＣＲＴのフォーカス電極に前記信号源からの出力を反転した合成波信号が入力されるように設定してから前記青のＣＲＴのフォーカス電圧を調整し、前記フォーカス電圧の調整後に前記プリアンプを前記第１のモードに切り替え、通常状態において前記青のＣＲＴのフォーカス電圧を最適点に調整したフォーカス電圧よりもＤＣ的に高く設定されるようにしたことを特徴とするＣＲＴフォーカス電圧調整回路。
【発明の詳細な説明】
【０００１】
【産業上の利用分野】
本発明は、ＣＲＴ３管式プロジェクションテレビ受信機などにおけるＣＲＴフォーカス電圧調整回路に関し、詳しくは、ＣＲＴのフォーカス調整のばらつきに起因するＣＲＴドライブ電流と輝度特性のばらつきを抑え、画質の性能向上を図るものである。
【０００２】
【従来の技術】
従来、ＣＲＴ３管式プロジェクションテレビ受信機などにおいて、ＣＲＴのフォーカス調整は、所定の評価パターン信号を受信し、目視評価によって画面中央が最もフォーカスが良くなるように調整する方法が一般的である。
【０００３】
上記調整方法の一例としては、特開昭６２−１８８５６８号公報に記載されているように、蛍光面上の電子ビームスポットの面積を所要の大きさに設定することにより、静電レンズの焦点距離を調整し、静電フォーカスの設定を行う方法がある。
【０００４】
【発明が解決しようとする課題】
しかし、上記従来の方法では、赤と緑のＣＲＴのフォーカス調整においては特に問題はないが、青のＣＲＴにおいては、フォーカス調整点によりＣＲＴドライブ電流と輝度の特性が大きく異なるため、フォーカス調整ばらつきによるホハイトバランストラッキングの性能劣化およびセット間ばらつきが発生する。
また、赤と緑のＣＲＴのＣＲＴドライブ電流と輝度の特性に近似した特性を青のＣＲＴで求める場合、ＣＲＴの種類により、赤と緑のＣＲＴと同様な方法で評価パターン信号で目視評価によりフォーカスを最適点に調整したフォーカス電圧よりも、少しブルーミング側（電圧値が高い側）に設定した方が良い場合がある。
【０００５】
本発明は、青のＣＲＴのフォーカスを、ＣＲＴに応じて、セット間でばらつきなく、最適点に調整することにより、ホワイトバランスのトラッキング性能向上と、セット間のばらつきを防ぐことを目的とする。
【０００６】
【課題を解決するための手段】
上記目的を達成するため本発明のＣＲＴフォーカス電圧調整回路は、赤と緑と青の３本のＣＲＴからの映像をスクリーンに投写して画像表示するプロジェクションテレビにおいて、Ｈパラボラ波とＶパラボラ波との合成波信号を出力する信号源と、前記信号源からの出力を適度な大きさに増幅する第１のモードと前記信号源からの出力を反転してから適度な大きさに増幅する第２のモードとを切り替え可能に構成されたプリアンプと、前記プリアンプからの出力を前記赤と緑と青の３本のＣＲＴの各フォーカス電極に入力するレベルまでそれぞれ増幅する増幅回路と、前記増幅回路からの出力レベルを前記ＣＲＴに対して最適点に調整するフォーカス電圧調整手段と、前記プリアンプのモードを設定する設定手段とを備え、セット調整時に前記設定手段により前記プリアンプを前記第２のモードに切り替えて、前記青のＣＲＴのフォーカス電極に前記信号源からの出力を反転した合成波信号が入力されるように設定してから前記青のＣＲＴのフォーカス電圧を調整し、前記フォーカス電圧の調整後に前記プリアンプを前記第１のモードに切り替え、通常状態において前記青のＣＲＴのフォーカス電圧を最適点に調整したフォーカス電圧よりもＤＣ的に高く設定されるようにしたことを特徴とするものであり、前記青のＣＲＴのフォーカス電圧調整に対する前記青のＣＲＴのＣＲＴドライブ電流と輝度の特性が前記赤と緑のＣＲＴのＣＲＴドライブ電流と輝度の特性に近似するようにしたものである。
【０００７】
【作用】
上記手段により本発明では、セット調整時において、プリアンプの出力部のテストポイントとＧＮＤをショートし、プリアンプからの出力を０Ｖとし、増幅回路の出力をＤＣ成分のみに設定し、画面左端にＣＲＴに流れるビーム電流が８ｍＡ以上のウインドウ信号を映し出し、その部分の輝度が最低値になるように可変抵抗器を調整することにより、フォーカス電圧の通常状態での最適点のＤＣレベルよりも、ダイナミックフォーカス波形のＡＣ成分の２分の１の値だけ高いレベルにＤＣレベルを設定することが可能となる。
従って、プリアンプの出力部のテストポイントとＧＮＤのショートを戻せば、増幅回路からの出力をセット間でばらつきなく、通常状態での最適点よりもダイナミックフォーカス波形のＡＣ成分の２分の１の値だけＤＣ的に高い値に設定できる。
また、ウインドウ信号を映し出して調整するポイントを選択することにより、フォーカス電圧値をダイナミックフォーカス波形のＡＣ成分の２分の１の値の範囲内で、任意の値だけＤＣ的に高い値に設定できる。
このことより、ホワイトバランスのトラッキング性能向上と、セット間のばらつきを抑えることが可能となる。
【０００８】
【実施例】
以下に、本発明の実施例におけるＣＲＴフォーカス電圧調整回路を図面を参照して説明する。
【０００９】
（実施例１）
図１は本発明の第１の実施例におけるＣＲＴフォーカス電圧調整回路の回路図を示す。本発明のＣＲＴフォーカス電圧調整回路は図１に示すように、Ｈパラボラ波とＶパラボラ波の合成波を出力する信号源１と、信号源１からの出力を適度な大きさに増幅するプリアンプ２と、プリアンプ２からの出力をＣＲＴのフォーカス電極に入力するレベルまで増幅する増幅回路３と、増幅回路３からの出力レベルをＣＲＴに対して最適点に調整する可変抵抗器４と、プリアンプ２の出力部のテストポイント５で構成される。
【００１０】
信号源１からの出力を水平レートで観察すると、図２に示すＨパラボラ波形が観察される。信号源１からの出力は、プリアンプ２で適当な大きさに増幅され、増幅回路３でＣＲＴのフォーカス電極を制御するレベルまで増幅される。増幅回路３の出力を観察すると、図３に示すＨパラボラ波形が観察される。
【００１１】
以後、実施例１の動作説明をする。なお、図３の波形は、通常状態でのＣＲＴのフォーカス調整の最適状態の波形である。セット調整時において、プリアンプ２の出力部のテストポイント５とＧＮＤをショートし、プリアンプ２からの出力を０Ｖとし、増幅回路３の出力を図４（ａ）に示すようにＤＣ成分のみに設定し、図５に示すように画面左端にＣＲＴに流れるビーム電流が８ｍｍ以上のウインドウ信号を映し出し、その部分の輝度が最低値になるように可変抵抗器４を調整することにより、図５に示される画面左端の最適フォーカス電圧はＤＣレベルに設定される。ＤＣ成分にプリアンプ２から出力されるダイナミックフォーカス波形のＡＣ成分が重畳された電圧で調整する通常状態では、最適フォーカス電圧がＡＣ成分のピーク値で設定されるので、ＤＣレベルはＡＣ成分のピーク値からダイナミックフォーカス波形のＡＣ成分の略２分の１の値だけ低いレベルになっている。従って、最適フォーカス電圧をＤＣレベルに設定した場合のＤＣレベルは、図３に示すように、ＡＣ成分のピーク値で最適点が設定される通常状態でのＤＣレベルよりも、ダイナミックフォーカス波形のＡＣ成分の略２分の１の値だけ高いレベルにＤＣレベルが設定される。従って、プリアンプ２出力部のテストポイント５とＧＮＤのショートを戻せば、図４（ｂ）のように調整することが可能となり、増幅回路３からの出力をセット間でばらつきなく、通常状態での最適点よりもダイナミックフォーカス波形のＡＣ成分の略２分の１の値だけＤＣ的に高い値に設定できる。また、図５で示す調整ポイントを選択することにより、ダイナミックフォーカス波形のＡＣ成分の略２分の１の範囲内で、任意の値だけＤＣ的に高い値を設定できる。
【００１２】
（実施例２）
図６は本発明の第２の実施例におけるＣＲＴフォーカス電圧調整回路の構成図を示す。
図６に示すように、図１に示す回路構成と、スクリーン枠上に設置された輝度センサー６と、輝度センサー６からの出力に応じて可変抵抗器４の設定を制御するマイコン７で構成される。以下にその動作を説明する。
【００１３】
セット調整時において、プリアンプ２の出力部のテストポイント５とＧＮＤ（グランド）をショートし、プリアンプ２からの出力を０Ｖとし、増幅回路３の出力を図４のようにＤＣ成分のみに設定し、図６に示すようにスクリーン枠の輝度センサーの設置してある場所にＣＲＴに流れるビーム電流が８ｍＡ以上のウインドウ信号を映し出し、その部分の輝度を輝度センサー６が検出し、検出値が最低値になるようにマイコン７により可変抵抗器４の設定をを制御する。
これにより、図３に示す通常状態での最適点のＤＣレベルよりも、ダイナミックフォーカス波形のＡＣ成分の２分の１の値だけ高いレベルにＤＣレベルを設定することが可能となる。
従って、プリアンプ２の出力部のテストポイント５とＧＮＤのショートを戻せば、増幅回路３からの出力をセット間でばらつきなく、通常状態での最適点よりもダイナミックフォーカス波形のＡＣ成分の２分の１の値だけＤＣ的に高い値に設定できる。
【００１４】
（実施例３）
図７は本発明の第３の実施例におけるＣＲＴフォーカス電圧調整回路の構成図を示す。図７に示すように、図１に示す回路構成内のプリアンプ２を、信号源１からの出力を適度な大きさに増幅する機能と、モード切り替えにより信号源１からの出力を反転し、適度な大きさに増幅する機能とを兼ね備えて持つプリアンプ８に変更した構成である。以下にその動作を説明する。セット調整時において、プリアンプ８の動作モードを反転アンプに切り替え、増幅回路３の出力を図８のように図３のＡＣ成分を反転した波形に設定し、図５に示すように画面左端にＣＲＴに流れるビーム電流が８ｍＡ以上のウインドウ信号を映し出し、その部分の輝度が最低値になるように可変抵抗器４を調整することにより、図３に示す通常状態での最適点のＤＣレベルよりも、ダイナミックフォーカス波形のＡＣ成分の値だけ高いレベルにＤＣレベルを設定することが可能となる。従って、プリアンプ８の動作モードを反転から通常状態に戻せば、増幅回路３からの出力をセット間でばらつきなく、通常状態での最適点よりもダイナミックフォーカス波形のＡＣ成分の値だけＤＣ的に高い値に設定できる。また、図５で示す調整ポイントを選択することにより、ダイナミックフォーカス波形のＡＣ成分の値の範囲内で、任意の値だけＤＣ的に高い値を設定できる。
【００１５】
【発明の効果】
上記のように本発明によれば、青のＣＲＴのフォーカスを、ＣＲＴに応じて、セット間でばらつきなく、最適点に調整することにより、ホワイトバランスのトラッキング性能向上と、セット間のばらつきを防ぐことができる。
【図面の簡単な説明】
【図１】本発明の第１の実施例におけるＣＲＴフォーカス電圧調整回路の回路図
【図２】図１における信号源１の出力波形図
【図３】図１における増幅器３の出力波形図
【図４】図１における調整時の増幅器３の出力波形図
【図５】本発明の実施例における調整ポイントを示す説明図
【図６】本発明の第２の実施例におけるＣＲＴフォーカス電圧調整回路の回路図
【図７】本発明の第３の実施例におけるＣＲＴフォーカス電圧調整回路の回路図
【図８】図７における調整時の増幅器３の出力波形図
【符号の説明】
１  信号源
２  プリアンプ
３  増幅回路
４  可変抵抗器
５  テストポイント
６  輝度センサー
７  マイコン
８  プリアンプ
【図１】
0003549289.tif 000002
【図２】
0003549289.tif 000003
【図３】
0003549289.tif 000004
【図４】
0003549289.tif 000005
【図５】
0003549289.tif 000006
【図６】
0003549289.tif 000007
【図７】
0003549289.tif 000008
【図８】
0003549289.tif 000009